(57)【要約】  本発明による不連続的に二重にねじ山を付けられた骨ねじ（１）は、押込み頭部（２）と、それから延伸する、円錐端部を有する円筒状のコア（４）からなる固定胴部（３）とを含み、円錐端部を有する円筒状のコア（４）上に、当該ねじ（１）を骨に確実に固定する少なくとも２つの円錐端部を有する円筒状のねじ山（５、６）が延在し、固定胴部（３）は、その全長にわたっておよび押込み頭部（２）を起点として、異なる輪郭の複数の固定部分を含み、それにより骨の異なる硬度および強度に対応する固定が保証され、当該固定胴部（３）は、押込み頭部（２）の下に、円錐状コア（４ａ）および同一ピッチの円筒状輪郭を備えた２つのねじ山（５、６）からなる第１の固定部分（７）と、円筒状コア（４ｂ）および１／４回転にわたる単一の円筒状ねじ山（５）からなる第２の固定部分（８）と、円筒状コア（４ｂ）および１／２回転にわたる円筒状輪郭を備えた２つのねじ山（５、６）を設けられた第３の固定部分（９）と、円筒状コア（４ｂ）および骨ねじ（１）の全長に応じてｎ回転にわたる円筒状輪郭を備えた単一ねじ山（６）を含む第４の固定部分（１０）と、円錐状コア（４ａ）および円錐状輪郭を備えた２つのねじ山（５、６）を含み、骨ねじの先端を形成する第５の固定部分（１１）と、を含む。【選択図】図2
2018535759.tif 000002
【特許請求の範囲】
【請求項１】
補綴物またはインプラントを骨部分に取り付けるための不連続的に二重にねじ山を付けられた骨ねじ（１）であって、押込み頭部（２）と、それから延伸する、円錐端部を有する円筒状のコア（４）からなる固定胴部（３）とを含み、前記円錐端部を有する円筒状のコア（４）上に、前記ねじ（１）を骨に確実に固定する少なくとも２つの円錐端部を有する円筒状のねじ山（５、６）が延在し、前記固定胴部（３）は、その全長にわたっておよび前記押込み頭部（２）を起点として、異なる輪郭の複数の固定部分を含み、それにより前記骨の異なる硬度および強度に対応する固定が保証され、前記固定胴部（３）は、前記押込み頭部（２）の下に、円錐状コア（４ａ）および同一ピッチの円筒状輪郭を備えた２つのねじ山（５、６）からなる第１の固定部分（７）と、円筒状コア（４ｂ）および１／４回転にわたる単一の円筒状ねじ山（５）からなる第２の固定部分（８）と、円筒状コア（４ｂ）および１／２回転にわたる円筒状輪郭を備えた２つのねじ山（５、６）を設けられた第３の固定部分（９）と、円筒状コア（４ｂ）および前記骨ねじ（１）の全長に応じてｎ回転にわたる円筒状輪郭を備えた単一ねじ山（６）を含む第４の固定部分（１０）と、円錐状コア（４ａ）および円錐状輪郭を備えた２つのねじ山（５、６）を含み、前記骨ねじの先端を形成する第５の固定部分（１１）と、を含むことを特徴とする不連続的に二重にねじ山を付けられた骨ねじ（１）。
【請求項２】
前記第１の固定部分（７）が、前記円錐状コア（４ａ）の周囲で１８０度オフセットされた同一ピッチの円筒状輪郭を備えた２つのねじ山（５、６）を含むことを特徴とする、請求項１に記載の不連続的に二重にねじ山を付けられた骨ねじ。
【請求項３】
前記第４の固定部分（１０）が、前記第２の部分（８）に提供された前記円筒状ねじ山（５）と異なる円筒状ねじ山（６）を含むことを特徴とする、請求項１に記載の不連続的に二重にねじ山を付けられた骨ねじ。
【請求項４】
内部ボア（１３）を含むことを特徴とする、請求項１に記載の不連続的に二重にねじ山を付けられた骨ねじ。
【請求項５】
前記押込み頭部（２）が、工具を配置するための凹部（２ｂ）をその内側部分に有する球状輪郭を備えた頭部（２ａ）からなることを特徴とする、請求項１に記載の不連続的に二重にねじ山を付けられた骨ねじ。
【請求項６】
前記押込み頭部（２）が、骨接合デバイスの不動化のための締付ねじを受け入れるように意図されたＵ字形輪郭を備えた一体成形頭部（２ｃ）からなることを特徴とする、請求項１に記載の不連続的に二重にねじ山を付けられた骨ねじ。
【請求項７】
円錐状輪郭を備える前記第５の固定部分（１１）が、セルフタッピング用ねじ山（５、６）を有することを特徴とする、請求項１に記載の不連続的に二重にねじ山を付けられた骨ねじ。
【発明の詳細な説明】
【技術分野】
【０００１】
本発明は、例えば補綴物またはインプラントを確実に取り付けるために骨にねじ込まれるように意図された二重のねじ山を有する骨ねじに関する。
【背景技術】
【０００２】
米国特許第３，７０３，８４３号明細書および米国特許第３，８６１，２６９号明細書に記載される教示内容から、異なる強度を有する異なる材料からなる複数の部品を一緒に結合するための締付ねじが知られている。
【０００３】
締付ねじは押込み頭部を含み、押込み頭部から、同一ピッチの２つの円筒状ねじ山を設けられた円筒状胴部が延在する。その長さの１／３を超えて、円筒状胴部は、その尖った自由端部に（米国特許第３，７０３，８４３号明細書）または押込み頭部のすぐ下に（米国特許第３，８６１，２６９号明細書）配置された２つの円筒状ねじ山を含む。
【０００４】
欧州特許第１９９１１４５号明細書に記載される教示内容から、その端部の一方に押込み頭部または骨接合デバイスの連結ロッドを取り付けるためのコネクタが設けられた、円錐端部を有する円筒状の（ｃｙｌｉｎｄｒｏ−ｃｏｎｉｃａｌ）輪郭を備えたねじ山付き胴部を含む骨ねじが同じく知られている。
【０００５】
この円錐端部を有する円筒状胴部は、その押込み頭部の下にまたはコネクタの下に、同一ピッチの２つの螺旋状ねじ山を含む第１のねじ山セクションと、それから延伸する、第１のねじ山セクションに由来する単一螺旋状ねじ山からなる第２のねじ山セクションとを含む。
【０００６】
骨ねじの場合、当該ねじが植え込まれる骨組織は、海綿骨からなる中心部分と皮質骨からなる周囲部分との間で異なる強度を示すことに注意する。
【０００７】
実際に、骨組織は、柱状構成要素を覆う固く高密度の構成要素、すなわち皮質骨と、より低密度でより固さが劣る海綿骨とからなる。これら２つの構成要素は、皮質骨に近づくにつれて増大する密度勾配を有する連続体を形成する。
【発明の概要】
【０００８】
このため、本発明による不連続的に二重にねじ山を付けられた骨ねじは、骨の保持を改善することを目的とし、およびその固定胴部に沿って不連続的なねじ山部分を含み、それにより骨組織の異なる構成要素における当該ねじの結合を当該固定胴部の全長にわたって保証する。
【０００９】
骨組織における本発明による骨ねじの良好な機械的保持は、一方で皮質骨におけるおよび海綿骨におけるねじ山の係合によって保証され、他方、当該ねじの輪郭と完全に適合するように、皮質骨および海綿骨をねじの周囲で、より詳細にはねじ山の巻きの間に包み込むことによって保証される。
【００１０】
本発明による、補綴物またはインプラントを骨部分に取り付けるための不連続的に二重にねじ山を付けられた骨ねじは、押込み頭部と、それから延伸する、円錐端部を有する円筒状のコアからなる固定胴部とを含み、円錐端部を有する円筒状のコア上に、当該ねじを骨に確実に固定する少なくとも２つの円錐端部を有する円筒状のねじ山が延在し、固定胴部は、その全長にわたっておよび押込み頭部を起点として、骨の異なる硬度および強度に対応する固定を保証する異なる輪郭の複数の固定部分を含み、当該固定胴部は、押込み頭部の下に、円錐状コアおよび同一ピッチの円筒状輪郭を備えた２つのねじ山からなる第１の固定部分と、円筒状コアおよび１／４回転にわたる単一の円筒状ねじ山からなる第２の固定部分と、円筒状コアおよび１／２回転にわたる円筒状輪郭を備えた２つのねじ山を設けられた第３の固定部分と、円筒状コアおよび骨ねじの合計長さに応じてｎ回転にわたる円筒状輪郭を備えた単一ねじ山を含む第４の固定部分と、円錐状コアおよび円筒状輪郭を備えた２つのねじ山を含み、骨ねじの先端を形成する第５の固定部分と、を含む。
【００１１】
本発明による不連続的に二重にねじ山を付けられた骨ねじは、円錐状コアの周囲で１８０度オフセットされた同一ピッチの円筒状輪郭を備えた２つのねじ山を含む第１の固定部分を含む。
【００１２】
本発明による不連続的に二重にねじ山を付けられた骨ねじは、第２の部分に提供された円筒状ねじ山と異なる円筒状ねじ山を含む第４の固定部分を含む。
【００１３】
本発明による不連続的に二重にねじ山を付けられた骨ねじは、内部ボアを含む。
【００１４】
本発明による不連続的に二重にねじ山を付けられた骨ねじは、工具を配置するための凹部をその内側部分に有する球状輪郭を備えた頭部からなる押込み頭部を含む。
【００１５】
本発明による不連続的に二重にねじ山を付けられた骨ねじは、不動化のための締付ねじを受け入れるように意図されたＵ字形輪郭を備えた一体成形頭部からなる押込み頭部を含む。
【００１６】
本発明による不連続的に二重にねじ山を付けられた骨ねじは、セルフタッピング用ねじ山を含む円錐状輪郭を備えた第５の固定部分を含む。
【００１７】
非限定的な例として与えられる付随の図面を参照する以下の記載は、本発明、本発明が有する特徴、および本発明が生み出すことができる有利性をより深く理解することを可能にする。
【図面の簡単な説明】
【００１８】
【図１】本発明による不連続的に二重にねじ山を付けられた骨ねじを示す斜視図である。
【図２】本発明による不連続的に二重にねじ山を付けられた骨ねじを示す正面図である。
【図３】本発明による不連続的に二重にねじ山を付けられた骨ねじを示す断面図である。
【図４】本発明による不連続的に二重にねじ山を付けられた骨ねじの押込み頭部の変形実施形態を示す正面図である。
【図５】本発明による不連続的に二重にねじ山を付けられた骨ねじの押込み頭部の変形実施形態を示す断面図である。
【発明を実施するための形態】
【００１９】
図１〜３に、例えば補綴物またはインプラントを骨部分に確実に取り付ける、不連続的な二重のねじ山５、６を有する骨ねじ１が示されている。
【００２０】
骨ねじ１は、押込み頭部２と、それから延伸する、円錐端部を有する円筒状のコア４からなる固定胴部３とを含み、コア４上に、少なくとも２つの不連続的な、円錐端部を有する円筒状のねじ山５、６が延在し、それらねじ山は、骨組織の異なる構成要素に当該ねじ１を確実に固定する。
【００２１】
この第１の例において、押込み頭部２は、骨ねじ１を回転させる工具を配置するための凹部２ｂをその内側部分に有する球状輪郭を備えた頭部２ａからなることができる。
【００２２】
固定胴部３は、その全長にわたっておよび押込み頭部２を起点として、固定部分７、８、９、１０を含み、それらはそれぞれ、骨組織の異なる硬度および強度に対応する固定を保証するように異なる輪郭を有する。
【００２３】
この効果のために、固定胴部３は押込み頭部２の下に第１の固定部分７を含み、第１の固定部分７は、その輪郭がここでは円錐状４ａであるコア４と、円筒状の輪郭を備えかつ同一ピッチの２つのねじ山５、６とからなる。
【００２４】
円筒状の輪郭を備えた２つのねじ山５、６は、円錐状コア４ａの周囲で１８０度オフセットされる。この第１の固定部分７において、骨ねじ１は、二重のねじ山を有する固定胴部３を有し、それにより二重のねじ山を有する固定胴部３を骨組織の皮質骨に確実に係合および保持するようにする。
【００２５】
固定胴部３は、第１の固定部分７の延長上に、その輪郭がこの領域において円筒状４ｂであるコア４と、当該胴部の１／４回転にわたって配置された単一円筒状ねじ山５とからなる第２の固定部分８を含む。
【００２６】
この第２の固定部分８で、第２の円筒状ねじ山６は、ねじ１の据付け中に第１の円筒状ねじ山５だけが骨組織と接触することを可能にするように中断される。
【００２７】
固定胴部３は第２の固定部分８の延長上に第３の固定部分９を含み、第３の固定部分９には、その円筒状輪郭４ｂが延ばされたコア４と、当該胴部の１／２回転にわたって配置された円筒状輪郭を備えた２つのねじ山５、６とが設けられる。
【００２８】
この第３の固定部分９において、第２の円筒状ねじ山６は、前の固定部分で中断された後に再開し、その一方、第１の円筒状ねじ山５は、第１の固定部分７から連続的に維持される。
【００２９】
従って、この第３の固定部分９において、骨ねじ１は、骨組織におけるその陥入を増すために、１／２回転にわたる二重のねじ山を有する固定胴部３を有する。
【００３０】
固定胴部３は第３の固定部分９の延長上に第４の固定部分１０を含み、第４の固定部分１０は、その輪郭が第２の固定部分８を起点とする円筒状輪郭４ｂであるコア４と、骨ねじ１の合計長さに応じてｎ回転にわたって延在する円筒状輪郭を備えた単一ねじ山６とからなる。
【００３１】
この第４の固定部分１０において、第１の円筒状ねじ山５は、ねじ１の据付け中に第２の円筒状ねじ山６だけが骨組織と接触することを可能にするように中断される。第４の固定部分１０は、第２の部分８に提供された円筒状ねじ山５と異なる円筒状ねじ山６を含むことに注目する。
【００３２】
固定胴部３は、第４の固定部分１０の延長上に、その輪郭が再び円錐状４ａであるコア４と、コア４の輪郭とともに骨ねじ１の先端を形成するために、その輪郭が同じく円錐状である２つのねじ山５、６とからなる第５のおよび最後の固定部分１１を含む。
【００３３】
この第５の固定部分１１において、骨ねじ１は、二重のねじ山を有する固定胴部３を有し、これにより二重のねじ山を有する固定胴部３が骨組織の皮質骨に入り込むことが保証される。
【００３４】
さらに、骨ねじ１の第５の固定部分１１、より特定的にはその先端は、２つのねじ山５および６の輪郭と垂直に交差する凹部１２を含む。
【００３５】
骨ねじ１の先端の周囲に配置された各凹部１２は、ねじ山５および６上に、当該ねじ山にセルフタッピングさせるために当該ねじの回転および導入方向に配置された切削用前縁５ａおよび６ａを構成する。
【００３６】
第１の変形によれば、不連続的な二重のねじ山５、６を備えた骨ねじ１は、案内部分によってそれが骨組織内を案内されることを可能にする内部ボア１３を含むことができる。案内部分は示されていないが、事前に当該骨組織内に導入される。
【００３７】
図４および５に、押込み頭部２と、それから延伸する、円錐端部を有する円筒状のコア４からなる固定胴部３とを含む骨ねじ１が示され、コア４上に、少なくとも２つの不連続的な、円錐端部を有する円筒状ねじ山５、６が延在し、それらねじ山は、骨組織の異なる構成要素に当該ねじ１を確実に固定する。
【００３８】
この変形において、押込み頭部２は、Ｕ字形輪郭を有する一体成形頭部２ｃからなり、頭部２ｃは、骨組織の異なる硬度および強度に対応する固定を保証するように異なる輪郭を備えた固定部分７、８、９、１０を有する固定胴部３に固く取り付けられている。
【００３９】
例えば脊柱骨接合デバイスの連結ロッドの不動化のために締付ねじ（図示せず）と協働するねじ山２ｅをその垂直分岐部分２ｄの内側部分が含むＵ字形輪郭を有する一体成形頭部２ｃ。
【００４０】
さらに、上の記載は単に例として与えられたこと、および上の記載は本発明の範囲を限定するものではなく、本発明の範囲は記載された実施の詳細を他のいずれかの等価物に置き換えることによって超えられるものではないことを理解されたい。
【図１】
2018535759.tif 000003
【図２】
2018535759.tif 000004
【図３】
2018535759.tif 000005
【図４】
2018535759.tif 000006
【図５】
2018535759.tif 000007
【国際調査報告】
2018535759.tif 000008
2018535759.tif 000009
2018535759.tif 000010
2018535759.tif 000011